(57)【要約】【課題】扉のロック機能付きのドアストッパについて、ロックの解除を立ったまま簡単におこなえるようにする。【解決手段】扉側面のケーシングＣに支持されたスライダ３０がストッパ本体１０に押されると後退し、これに連動してラッチ５０が回動してその爪５３が上昇しストッパ本体１０に係合する。このときリンク７０もスライダ３０に連動して後退し、ハートカム６０のカム溝６１に差し込まれたガイドピン７２がロック部６１ｂにはまり込む。これにより、爪５３がストッパ本体１０との係合位置でロックされ、扉Ｄは閉扉方向に回動不能になる。ここから扉Ｄを開扉方向に押すと、スライダ３０およびリンク７０がさらに後退し、ガイドピン７２はロック部６１ｂから抜け出て解除部６１ｃを通り復路６１ｄに至るため、ロックが解除されて扉Ｄは閉扉方向に回動可能となる。扉Ｄを回動させるだけでロックおよびロック解除がおこなわれるため、しゃがんだりする必要がなく簡単である。【選択図】図２
2010180584.tif 000002
【特許請求の範囲】
【請求項１】
回動可能な扉を所定の回動位置で閉扉方向に回動不能にロックし、その回動位置からさらに開扉方向に扉を押すことで前記ロックを解除して閉扉方向に回動可能にできる機構を扉側に配置したドアストッパ。
【請求項２】
床または天井に取り付けられ、扉の側面に臨むストッパ本体１０と、
扉側面上に扉の開閉方向にスライド可能に支持され、扉の開扉方向への回動に従って前記ストッパ本体１０に押されて後退するスライダ３０と、
前記スライダ３０を前進方向に付勢するばね４０と、
扉側面上に支持され、その先端に形成された爪５３が、前記スライダ３０の後退に連動して前記ストッパ本体１０に接近して係合し、前記スライダ３０の前進に連動してストッパ本体１０から離反して係合が解除するラッチ５０と、
扉側面上に支持され、前記スライダ３０と対向する面に略ハート型に湾曲したカム溝６１が形成されたハートカム６０と、
長手方向の一端が前記スライダ３０に対して回動可能に支持され、長手方向の他端に形成されたガイドピン７２が前記ハートカム６０のカム溝６１にはまり込むリンク７０と、を備え、
前記ハートカム６０のカム溝６１が、
起点から斜め後方に延び、扉の開扉方向への回動にしたがって前記リンク７０のガイドピン７２を後退方向に案内する往路６１ａと、
この往路６１ａの後端に連続して斜め前方に凹み、前記ラッチ５０の爪５３が前記ストッパ本体１０に係合したときに前記リンク７０のガイドピン７２がはまり込み、扉の閉扉方向への回動を阻止するロック部６１ｂと、
このロック部６１ｂに連続して斜め後方に突出し、前記閉扉方向への回動を阻止された扉を開扉方向に回動させると、前記リンク７０のガイドピン７２がロック部６１ｂから抜け出るように案内する解除部６１ｃと、
この解除部６１ｃに連続して斜め前方に延びて前記起点に還り、扉の閉扉方向への回動にしたがって前記リンク７０のガイドピン７２を前進方向に案内する復路６１ｄと、からなる請求項１に記載のドアストッパ。
【請求項３】
前記ラッチ５０が、扉側面上に床面または天井面と略平行な揺動軸５２を中心に揺動可能に支持され、かつ前記スライダ３０と遊嵌し、スライダ３０の進退に連動して揺動する請求項２に記載のドアストッパ。
【請求項４】
前記スライダ３０が、そのラッチ５０との対向面に上下に傾斜するカム面３４を有し、
前記ラッチ５０が、扉側面上に扉の上下方向にスライド可能に支持され、かつ前記カム面３４により、スライダ３０の進退に連動して上下に案内される請求項２に記載のドアストッパ。
【請求項５】
前記ストッパ本体１０が磁性体からなり、扉の側面に臨む起立位置と扉の側面から退去する倒伏位置との間を回動可能であり、
前記扉側面上に、倒伏位置にある前記ストッパ本体１０を磁力により起立位置へと回動させるマグネット２０を備える請求項２から４のいずれかに記載のドアストッパ。
【発明の詳細な説明】
【技術分野】
【０００１】
この発明は、扉を所定の回動位置で位置決めするドアストッパに関する。
【背景技術】
【０００２】
回動可能な扉を所定の回動位置で位置決めするドアストッパが知られている。
通常のドアストッパは床から柱状に突出して、扉を開扉方向に回動させると、扉側面がドアストッパに当たって位置決めされる。
これにより、扉のそれ以上の開扉方向への回動を規制し、扉が大きく開きすぎて周囲の壁面などに衝突するのを防止する。
【０００３】
ところで、扉を単にドアストッパに当てて出入口を開いているだけの状態では、扉が風にあおられるなどすると閉扉方向に回転し、不意に出入口が閉まってしまうことがある。
たとえば引越しや工事の際には、荷物や建築資材などを部屋に出し入れする都合上、出入口を開けたままの状態を維持する必要がある。
そのため、このように意図せずに出入口が閉まり、そのたびに扉を開きなおすのは不便である。
【０００４】
そこで、扉をドアストッパに当てた状態で閉扉方向に回動不能にロックできるようにした特許文献１のドアストッパが発案されている。
この特許文献１のドアストッパでは、扉を閉めるためにロックを解除するには、ドアストッパに付属するスイッチを押す必要がある。
このようなスイッチを押すには、立って扉のノブをつかんでいる状態から、ドアストッパまで手が届くようにしゃがみこむ必要がある。ロック解除のたびにこうしてしゃがみこむのは非常に面倒である。
【先行技術文献】
【特許文献】
【０００５】
【特許文献１】特開２００８−５７２２４号公報
【発明の概要】
【発明が解決しようとする課題】
【０００６】
そこでこの発明の解決すべき課題は、扉のロック機能付きのドアストッパについて、ロックの解除作業を立ったまま簡単におこなえるようにすることである。
【課題を解決するための手段】
【０００７】
上記した課題を解決するため、この発明のドアストッパを、回動可能な扉を所定の回動位置で閉扉方向に回動不能にロックし、その回動位置からさらに開扉方向に扉を押すことで前記ロックを解除して閉扉方向に回動可能にできる機構を扉側に配置した構成としたのである。
【０００８】
具体的には、床または天井に取り付けられ、扉の側面に臨むストッパ本体と、
扉側面上に扉の開閉方向にスライド可能に支持され、扉の開扉方向への回動に従って前記ストッパ本体に押されて後退するスライダと、
前記スライダを前進方向に付勢するばねと、
扉側面上に支持され、その先端に形成された爪が、前記スライダの後退に連動して前記ストッパ本体に接近して係合し、前記スライダの前進に連動してストッパ本体から離反して係合が解除するラッチと、
扉側面上に支持され、前記スライダと対向する面に略ハート型に湾曲したカム溝が形成されたハートカムと、
長手方向の一端が前記スライダに対して回動可能に支持され、長手方向の他端に形成されたガイドピンが前記ハートカムのカム溝にはまり込むリンクと、を備える構成にしたのである。
【０００９】
ここで、ハートカムのカム溝は、起点から斜め後方に延び、扉の開扉方向への回動にしたがって前記リンクのガイドピンを後退方向に案内する往路と、
この往路の後端に連続して斜め前方に凹み、前記ラッチの爪が前記ストッパ本体に係合したときに前記リンクのガイドピンがはまり込み、扉の閉扉方向への回動を阻止するロック部と、
このロック部に連続して斜め後方に突出し、前記閉扉方向への回動を阻止された扉を開扉方向に回動させると、前記リンクのガイドピンがロック部から抜け出るように案内する解除部と、
この解除部に連続して斜め前方に延びて前記起点に還り、扉の閉扉方向への回動にしたがって前記リンクのガイドピンを前進方向に案内する復路と、から構成している。
【００１０】
以上のような構成により、扉を開扉方向に回動させると、スライダがストッパ本体に押されてラッチの爪がストッパに接近して係合する。
このとき、スライダに追随するリンクのガイドピンは、カム溝の往路を通って斜め後方へと案内され、ロック部にはまり込む。
そのため、ラッチの爪がストッパ本体に係合した位置でガイドピンがロックされ、扉の閉扉方向への回動が不能となる。したがって、扉が風であおられても勝手に出入口を閉めることはなくなる。
この状態からさらに扉を開扉方向に若干押すと、リンクのガイドピンはカム溝の解除部に案内されてロック部から抜け出て復路へと至る。
そのため、ラッチの爪がストッパ本体から離反可能となり、扉を閉扉方向に若干戻すとストッパ本体は爪の間から抜け出て係合が解除される。
これ以降、リンクのガイドピンは復路を通って斜め前方に案内可能となるため、扉は閉扉方向へと自由に回動可能となる。
このように、扉がロックされた状態から開扉方向へ若干押すだけでそのロックが解除され、閉扉方向に回動可能になるため、立ったままで簡単に操作をすることができる。
【００１１】
より詳細な構成としては、たとえば前記ラッチが、扉側面上に床面または天井面と略平行な支軸を中心に揺動可能に支持され、かつ前記スライダと遊嵌し、スライダの進退に連動して揺動するのが好ましい。
【００１２】
あるいは、前記スライダが、そのラッチとの対向面に上下に傾斜するカム面を有し、前記ラッチが扉側面上に扉の上下方向にスライド可能に支持され、かつ前記カム面により、スライダの進退に連動して上下に案内されるのが好ましい。
【００１３】
さらに、前記ストッパが磁性体からなり、扉の側面に臨む起立位置と扉の側面から退去する倒伏位置との間を回動可能であり、前記扉側面上に、倒伏位置にある前記ストッパ本体を磁力により起立位置へと回動させるマグネットを備える構成を採用するのが好ましい。
【００１４】
このように構成すると、普段はストッパ本体を倒伏させておくことで床面または天井面がほぼ平坦になるため、掃除の際などに邪魔にならない。
ストッパ本体が床に取り付けられている場合には、その倒伏により床面がほぼ平坦となってバリアフリー性が向上する。
【発明の効果】
【００１５】
発明にかかるドアストッパを以上のように構成したので、扉のロック解除を立ったままで簡単におこなえるようになった。
【図面の簡単な説明】
【００１６】
【図１】実施形態のドアストッパの斜視図
【図２】（ａ）は第一の実施形態のドアストッパの側面断面図、（ｂ）は（ａ）のIIｂ−IIｂ断面図
【図３】はスライダ、ラッチ、リンク、ばねの組み上げ状態を示す斜視図
【図４】（ａ）は第一の実施形態のドアストッパの動作を示す側面断面図、（ｂ）は（ａ）のIVｂ−IVｂ断面図
【図５】（ａ）は第一の実施形態のドアストッパの動作を示す側面断面図、（ｂ）は（ａ）のＶｂ−Ｖｂ断面図
【図６】（ａ）は第一の実施形態のドアストッパの動作を示す側面断面図、（ｂ）は（ａ）のVIｂ−VIｂ断面図
【図７】（ａ）は第一の実施形態のドアストッパの動作を示す側面断面図、（ｂ）は（ａ）のVIIｂ−VIIｂ断面図
【図８】（ａ）は第一の実施形態のドアストッパの動作を示す側面断面図、（ｂ）は（ａ）のVIIIｂ−VIIIｂ断面図
【図９】（ａ）は第二の実施形態のドアストッパの側面断面図、（ｂ）は（ａ）のIXｂ−IXｂ断面図
【図１０】はスライダ、ラッチ、リンク、ばね、プッシュピン、ラッチガイドの組み上げ状態を示す斜視図
【発明を実施するための形態】
【００１７】
以下、図面を参照しつつこの発明の実施の形態について説明する。
【００１８】
第一の実施形態のドアストッパは、部屋の出入口、クローゼットなどを開閉する回動可能な扉を、所定の回動位置で閉扉方向に回動不能にロックできるようになっている。
また、そのロックされた所定の回動位置から、さらに開扉方向に扉を押すと、そのロックが解除されて閉扉方向に回動可能な状態に戻るようになっている。
【００１９】
ドアストッパの具体的な構成としては、図１のように、床Ｆにストッパ本体１０が取り付けられ、扉Ｄの側面に取り付けられたケーシングＣに、ストッパ本体以外のドアストッパを構成する部材２０〜７０が収納されている。
【００２０】
より詳しくは、図1および図2のように、床面には平坦な座金Ｂがボルト等により固定され、この座金Ｂを介してストッパ本体１０は床に取り付けられている。
プレート形のストッパ本体１０はマグネットに吸着する素材（たとえば磁性ステンレス）からなり、その基端部が座金Ｂにヒンジ結合され、これにより床面から立ち上がる起立位置と床面とほぼ面一になる倒伏位置との間を回動自在になっている。
ここで、起立位置においてはストッパ本体１０は扉側面に臨み、倒伏位置においては扉Ｄはストッパ本体１０の上を通過可能になっている。
またストッパ本体１０の先端部は、プレートが下側に折り返されることで下方に膨らむ係止部１１となっている。
【００２１】
一方、図1および図2のように、扉側面のストッパ本体１０と対向する下縁部には、ケーシングＣがボルト等により固定されている。
このケーシングＣは、その内部にドアストッパを構成するマグネット２０、スライダ３０、ばね４０、ラッチ５０、ハートカム６０、リンク７０を収納し、支持している。
なお、このケーシングＣには、上からカバーを被せて装飾性を高めてもよい。
【００２２】
また、図2のように、ケーシングＣの下面正面側にはマグネット２０が埋設されている。
したがって、扉Ｄが開扉方向に回動して倒伏位置にあるストッパ本体１０に接近すると、マグネット２０の磁力により自動的にストッパ本体１０を起立位置へと切り替えられるようになっている。
【００２３】
図2のように、ケーシングＣ内のマグネット２０の背後には、ブロック形のスライダ３０が収納されている。
そして図３のように、スライダ３０の両側面には突出するガイド部３１が形成され、このガイド部３１がケーシングの左右内側面に形成された長孔にはまり込んでいる。
したがって、スライダ３０はケーシングＣ内において、扉Ｄの開扉閉扉方向にスライド可能となっている。これと同時にスライダ３０は、その背面側に装填されたばね４０により、前進方向に付勢されている。
またスライダ３０の下面正面側には押圧片３２が形成され、この押圧片３２はケーシングＣの下面より下方に突出している。
さらにスライダ３０の下半部には、スライダ３０を左右に分割するスリットが形成されており、このスリット内には左右方向に貫通する嵌合軸３３が設けられている。
【００２４】
このスライダ３０のスリットには、図２および図３のように、側面視Ｌ字型のプレート形のラッチ５０の上半部が差し込まれている。
ラッチ５０はその上端に方形の窓５１を有し、この窓５１にスライダの嵌合軸３３が遊嵌している。
なお、これとは逆にスライダ３０に窓を設け、ラッチ５０に嵌合軸を設けてこれらを遊嵌させても同様の作用を奏する。
またラッチ５０は、その下半部がケーシングＣを左右方向に貫通する揺動軸５２に支持されることで、この揺動軸５２を中心に揺動可能になっている。
さらに、ラッチ５０の下端は正面側に屈曲し、その先端には上向きの爪５３が形成されている。したがって、ラッチ５０が一方向に揺動すると、この爪５３は上昇してケーシングＣの下面に接近し、反対方向に揺動すると爪５３は下降してケーシングＣの下面から離反することになる。
図示のように、この爪５３とスライダ３０の押圧片３２とはほぼ上下に対向している。
なお、ラッチ５０の回動方向を爪が上昇する向きに付勢するばねをさらに追加してもよい。
【００２５】
さらに、図２のように、ケーシングＣ内のスライダ３０の上方にはプレート形のハートカム６０が固定されている。このハートカム６０の下面には、環状のカム溝６１が形成されている。
詳しくはカム溝６１は、図２（ｂ）のように、起点から斜め後方に延びる往路６１ａと、往路６１ａの後端に連続しかつ前方に向けて凹むロック部６１ｂと、ロック部６１ｂに連続して斜め後方に突出する解除部６１ｃと、解除部６１ｃに連続して斜め前方に延び起点に還る復路６１ｄと、からなって全体として略ハート型に湾曲した溝である。
【００２６】
さらにケーシングＣ内のスライダ３０とハートカム６０との間には、リンク７０が配置されている。
リンク７０の長手方向の一端側には下向きに延びる支持ピン７１が設けられ、この支持ピン７１がスライダ上面に設けられた軸孔にはめ込まれている。これにより、リンク７０はスライダ３０に対して回動可能に支持されている。
なお、これとは逆にスライダ３０に支持ピンを設け、リンク７０に軸孔を設けてはめ込んでもよい。
またリンク７０の他端側には上向きに延びるガイドピン７２が設けられ、このガイドピン７２はハートカム６０のカム溝６１にはめ込まれている。
以上より、スライダ３０が進退すると、リンク７０も支持ピン７１を中心に回動しつつ進退し、これにより他端側のガイドピン７２はハートカム６０のカム溝６１に沿って案内されることになる。
【００２７】
第一の実施形態のドアストッパの構成は以上である。次に扉Ｄをロックする際の動作について説明すると、まず図４（ａ）のように扉Ｄを開扉方向に回動させ、ストッパ本体１０に接近させる。
すると、マグネット２０の磁力により倒伏位置にあるストッパ本体１０は座金Ｂに対して回動して起立位置へと切り替わる。
このとき、図４（ｂ）のように、リンク７０のガイドピン７２は、ハートカム６０のカム溝６１の起点に位置している。
【００２８】
図５（ａ）のように、そのまま扉Ｄを回動させると、ストッパ本体１０の先端がケーシングＣの下面から突出するスライダ３０の押圧片３２に当たり、押圧片３２を押してスライダ３０を後退方向にスライドさせる。
このスライダ３０のスライドに伴って、その側面にある嵌合軸３３がラッチ５０の窓５１の後側孔縁に係合する。
スライダ３０がさらに後退すると、その嵌合軸３３はラッチ５０の揺動軸５２より上側である窓孔縁を後方に押すため、ラッチ５０はその爪５３が上昇する向きに回動する。
【００２９】
このとき、スライダ３０に支持されたリンク７０も支持ピン７１を中心に回動しながら後退する。したがって、図５（ｂ）のように、リンク７０のガイドピン７２は、カム溝６１の起点から往路６１ａに沿って後方に案内される。
【００３０】
そして、上記したようにラッチ５０の爪５３が上昇してストッパ本体１０に接近したときに、リンク７０のガイドピン７２はカム溝６１の往路６１ａを通り抜ける。
リンク７０はスライダ３０を介してばね４０により前進方向に付勢されているため、図６（ｂ）のように、ガイドピン７２はカム溝６１の往路６１ａを通り抜けると前進してロック部６１ｂにはまり込む。これにより、リンク７０およびスライダ３０がロックされて進退不能となる。
したがって、図６（ａ）のように、スライダ３０と連動するラッチ５０も、その爪５３がストッパ本体１０に接近して係止部１１に係合した状態でロックされる。
そのため、扉Ｄは閉扉方向に回動不能となり、扉Ｄが風にあおられても出入口が勝手に閉じることはなくなる。
【００３１】
一方扉Ｄのロックを解除するには、図６のような状態から、図７（ａ）のように扉Ｄを開扉方向に少し押し、スライダ３０をストッパ本体１０で押して若干後退させる。
すると、スライダ３０に連動してリンク７０は回動しながら若干後退し、図７（ｂ）のように、そのガイドピン７２はカム溝６１のロック部６１ｂから抜け出て解除部６１ｃに沿って後退し、復路６１ｄへと臨む。
すなわち、ガイドピン７２のロック状態が解除され、リンク７０およびスライダ３０が進退可能となる。
【００３２】
この動作の後に、図８（ａ）のように、扉Ｄを閉扉方向に戻すと、スライダ３０はばね４０の付勢により前進し、ラッチ５０はこれに連動して爪５３が下降する向きに回動するため、爪５３とストッパ本体１０との係合は解除される。
したがって、そのまま扉Ｄが出入口を閉めるまで回動させることができる。このときスライダ３０の前進に連動してリンク７０は回動しながら前進し、図８（ｂ）のように、そのガイドピン７２は、ハートカム６０のカム溝６１の復路６１ｄに沿って前進して起点へと戻る。
以上のように、立ったまま扉Ｄを回動操作するだけで、簡単に扉Ｄの閉扉方向へのロックおよびロックの解除ができる。
【００３３】
次に図９および図１０を参照して、第二の実施形態のドアストッパについて説明する。ストッパ本体１０、ケーシングＣ、ハートカム６０、リンク７０については、第一の実施形態とほぼ同一の構成および作用であるため、詳細な説明を省略する。
【００３４】
スライダ３０は、第一の実施形態と同様に、ケーシングＣに対して扉Ｄの開扉閉扉方向にスライド可能に支持され、かつばね４０により前進方向に付勢されている。
スライダ３０の下縁部には押圧片３２が形成されており、この実施形態では側面視Ｌ字型に屈曲するプレートをスライダ本体の下面に固定することで構成されている。
これに加えて、第一の実施形態とは異なり、スライダ下面の押圧片３２より背面側は上下に傾斜してカム面３４を構成している。
カム面３４はスライダ下面の後部から前方に向けて急激な上り勾配に傾斜する昇面と、昇面に連続して前方に向けて緩やかな下り勾配に傾斜する降面と、からなる。
【００３５】
さらに、側面視Ｌ字型のラッチ５０は、第一実施形態とは異なり、図１０のように、その上端部が床面に対してほぼ平行に折れ曲がって受け部５４を構成している。また、その下端は正面側に屈曲して、その先端に第一の実施形態と同様に上向きの爪５３が形成されている。
このラッチ５０は、ケーシングＣに固定されたブロック形のラッチガイドＧに上下方向にスライド可能に支持されており、かつラッチガイドＧに装填されたばね８０により上昇方向に付勢されている。
【００３６】
ラッチガイドＧは左右の側板間に上記ラッチ５０、ばね８０を収納する収納空間が形成されており、両側板に形成された凸部がケーシングＣの内側面に形成された凹部にそれぞれはめ込まれることで、ケーシングＣに対し固定されている。なお、このラッチガイドＧはケーシングＣと一体に形成してもよい。
またラッチガイドＧの天板にはプッシュピン９０が差し込まれて抜け止めされ、プッシュピン９０の下端はラッチ５０の受け部５４に当接し、また上端はスライダ３０のカム面３４に当接している。
したがってスライダ３０が進退すると、プッシュピン９０がばね８０の付勢でカム面３４に追随し、プッシュピン９０の下端に当接するラッチ５０は連動して上下にスライドすることになる。
【００３７】
第二の実施形態のドアストッパの構成は以上である。第一の実施形態と同様に、扉Ｄを開扉方向に回動させるとストッパ本体１０はマグネット２０で起立し、その先端がスライダ３０の押圧片３２を押して後退方向にスライドさせる。
このスライダ３０の後退動に伴って、ラッチ５０はプッシュピン９０を介してカム面３４の昇面に案内されて上昇し、その爪５３がストッパ本体１０下面の係止部１１に係合する。
同時にリンク７０のガイドピン７２は、ハートカム６０のカム溝６１の起点から往路６１ａに沿って後方に案内され、ラッチ５０の爪５３がストッパ本体１０に係合したときに、ガイドピン７２はロック部６１ｂにはまり込みでロックされ、扉Ｄは閉扉方向への回動を阻止される。
【００３８】
ロックされた状態から、扉Ｄを開扉方向に少し押すとリンク７０のガイドピン７２はハートカム６０のロック部６１ｂから抜け出て解除部６１ｃを通り復路６１ｄへと臨んでロックが解除される。
このとき、ラッチ５０はプッシュピン９０を介してスライダ３０のカム面３４の降面に案内されて下降するため、その爪５３のストッパ本体１０との係合が外れる。
したがって、ロックが解除された扉Ｄを、出入口を閉めるまでそのまま回動させることができ、このときリンク７０のガイドピン７２は、ハートカム６０の復路６１ｄに沿って起点に戻る。
【００３９】
以上の実施形態では、ストッパ本体１０を起伏可能に構成したが、起立したままのストッパ本体を用いてもよい。その場合には、倒伏したストッパ本体１０を起立させるために設けられたマグネット２０は当然省略できる。
また、以上の実施形態ではストッパ本体１０を床Ｆに取り付けたが、天井に取り付け、これに対応してケーシング等も扉側面の上縁部に取り付けてもよい。
【００４０】
また、以上の実施形態ではスライダ３０の上方にハートカム６０を配置したが、ハートカム６０の位置は特に限定されない。
たとえば、ハートカム６０をスライダ３０の側面に対向して配置し、このスライダ側面に軸孔を形成し、ハートカム６０のスライダ３０との対向面にカム溝６１を形成し、その間をリンク７０で結合してもよい。
【００４１】
さらに以上の実施形態では、スライダ３０等を扉側面上に支持するためにケーシングＣを採用したが、支持の方法は特に限定されず、たとえばフレーム状物により支持してもよい。
またハートカム６０やラッチ５０をプレート形にしたが、形状等はこれに限定されない。たとえばケーシングＣ内部の天面にカム溝６１を直接形成してハートカム６０をケーシングＣと一体に構成してもよい。
またスライダ３０の形状も特に限定されず、たとえばプレート形にしてその側面に嵌合軸３３を植設し、この側面にラッチ５０を沿わせて嵌合軸３３にその窓５１を遊嵌させてもよい。
【００４２】
ラッチ５０の動作は、第一の実施形態の揺動、第二の実施形態の上下スライドに限定されず、要するにスライダ３０の進退に連動して爪５３がストッパ本体１０に接近して係合し、また爪５３がストッパ本体１０から離反して係合が解除されるように構成されていればよい。
なお、ドアストッパを構成する部材の材質は特に限定されず、ステンレスなどの金属、ポリアミド、ポリアセタール、ＡＢＳなどの合成樹脂が例示される。
【符号の説明】
【００４３】
Ｄ  扉
Ｆ  床
Ｃ  ケーシング
Ｂ  座金
Ｇ  ラッチガイド
１０  ストッパ本体
１１  係止部
２０  マグネット
３０  スライダ
３１  ガイド部
３２  押圧片
３３  嵌合軸
３４  カム面
４０  ばね
５０  ラッチ
５１  窓
５２  揺動軸
５３  爪
５４  受け部
６０  ハートカム
６１  カム溝
６１ａ  往路
６１ｂ  ロック部
６１ｃ  解除部
６１ｄ  復路
７０  リンク
７１  支持ピン
７２  ガイドピン
８０  ばね
９０  プッシュピン
【図１】
2010180584.tif 000003
【図２】
2010180584.tif 000004
【図３】
2010180584.tif 000005
【図４】
2010180584.tif 000006
【図５】
2010180584.tif 000007
【図６】
2010180584.tif 000008
【図７】
2010180584.tif 000009
【図８】
2010180584.tif 000010
【図９】
2010180584.tif 000011
【図１０】
2010180584.tif 000012